(57)【要約】【課題】コンテンツを実際に再生しなくても、現時点の視聴可能残回数を表示することのできるディスク再生装置を提供する。【解決手段】ＰＣにおいてサーバからダウンロードした動画圧縮ファイルは、コンテンツに加えて視聴可能回数を含んでいる。ＰＣは、このファイルをＣＤディスクやＤＶＤディスクに記録する。プレーヤは、このディスクがセットされると、メモリに視聴可能回数を記憶する。再生時において、上記視聴可能回数を１つ減らして視聴可能残回数として更新する。入力部において表示操作があると、メモリに記憶されている視聴可能残回数を表示器に表示する。このとき、同残回数がゼロのものを表示しない。【選択図】図４
2007109292.tif 000002
【特許請求の範囲】
【請求項１】
ディスクに記録されているファイルが視聴可能回数を付加情報として含む動画圧縮ファイルであり、ディスクがセットされたときにこの動画圧縮ファイルを視聴可能回数内で再生可能とするディスク再生装置において、
ディスクがセットされたときに該ディスクに記録されている動画圧縮ファイルに含まれる視聴可能回数をファイル情報とともにファイルリストにして記憶する不揮発性の記憶部と、任意の動画圧縮ファイルが１回再生される毎に前記記憶部に記憶されている該ファイルの視聴可能回数を減算し視聴可能残回数として更新する減算手段と、前記記憶部に記憶されているファイルリストを表示する表示手段と、を備え、前記表示手段は、所定の操作があったときに、前記記憶部に記憶されているファイルリスト中の、視聴可能残回数が１以上の動画圧縮ファイルのみをリストにして表示するディスク再生装置。
【請求項２】
ディスクに記録されているファイルが視聴可能回数を付加情報として含む動画圧縮ファイルであり、ディスクがセットされたときにこの動画圧縮ファイルを視聴可能回数内で再生可能とするディスク再生装置において、
所定の操作があったときに、前記動画圧縮ファイルの視聴可能残回数をファイル情報とともにファイルリストとして表示する表示手段を設けたことを特徴とするディスク再生装置。
【請求項３】
ディスクがセットされたときに該ディスクに記録されている動画圧縮ファイルに含まれる視聴可能回数をファイル情報とともにファイルリストにして記憶する不揮発性の記憶部と、任意の動画圧縮ファイルが１回再生される毎に前記記憶部に記憶されている該ファイルの視聴可能回数を減算し視聴可能残回数として更新する減算手段と、を備え、前記表示手段は、前記記憶部に記憶されているファイルリストを表示する請求項２記載のディスク再生装置。
【請求項４】
前記表示手段は、前記記憶部に記憶されているファイルリスト中の、視聴可能残回数が１以上の動画圧縮ファイルのみをリストにして表示する請求項３記載のディスク再生装置。
【発明の詳細な説明】
【技術分野】
【０００１】
この発明は、ネットワークからダウンロード可能な動画圧縮ファイルを記録したディスクの再生装置に関する。
【背景技術】
【０００２】
ＣＤやＤＶＤ等の光ディスクに著作権保護されている動画コンテンツを記録し、このコンテンツを視聴可能にするために視聴時間や視聴回数に制限をかけ、この制限内でユーザに対して視聴を許可するようにしたディスク再生装置が提案されている。
【０００３】
例えば、特許文献１では、インターネット等からダウンロードされたコンテンツ（動画圧縮ファイル）に視聴制限回数を含む情報（コピー管理情報）を付加し、その回数内での再生のみ許可する装置が示されている。
【０００４】
また、特許文献２、特許文献３でも、同様に、コンテンツ（動画圧縮ファイル）に視聴制限回数を含む情報（コピー管理情報）を付加し、その回数内での再生のみ許可する装置が示されている。
【特許文献１】特開２００２−１１２１７２号公報
【特許文献２】特開２００２−１１６８５６号公報
【特許文献３】特開２００３−２５９２８６号公報
【発明の開示】
【発明が解決しようとする課題】
【０００５】
しかしながら、上記の各特許文献に示される再生装置は、いずれも、ユーザが任意の時に視聴可能残回数を知ることができない不都合がある。ユーザが現時点の視聴可能残回数を知るには、コンテンツを再生してみる必要がある。再生したときにエラーとなれば残回数がゼロであることがはじめてわかる。
【０００６】
この発明の目的は、コンテンツを実際に再生しなくても、現時点の視聴可能残回数を表示することのできるディスク再生装置を提供することにある。
【課題を解決するための手段】
【０００７】
この発明のディスク再生装置は、上記課題を解決するために以下の構成を備えている。（１）ディスクに記録されているファイルが視聴可能回数を付加情報として含む動画圧縮ファイルであり、ディスクがセットされたときにこの動画圧縮ファイルを視聴可能回数内で再生可能とするディスク再生装置において、
前記動画圧縮ファイルの視聴可能残回数をファイル情報とともにファイルリストとして表示する表示手段を設けたことを特徴とする。
【０００８】
動画圧縮ファイルは、例えば、インターネット経由で入手できるファイルであり、このファイルをＣＤやＤＶＤ等のディスクに記録し、この発明のディスク再生装置において、これを再生する。動画圧縮ファイルは視聴可能回数がコンテンツ自体に付加されているものであるならなんでも良いが、例えば、高圧縮、高画質が可能なＤｉｖＸファイルが考えられる。このような視聴可能回数が著作権情報として付加されることにより、新作映画等をインターネットを介して契約ユーザに対して配信するビジネスが想定される。
【０００９】
契約を行ったユーザは、インターネットの特定のｗｅｂサイトから所望の動画圧縮ファイル（コンテンツ）をダウンロードし、これをＣＤやＤＶＤディスクに書き込むことにより、この発明のディスク再生装置にセットする。このとき、再生装置はディスクに記録されている動画圧縮ファイルに付加されている視聴可能回数内で再生することができる。
【００１０】
この発明では、前記動画圧縮ファイルの視聴可能残回数をファイル情報とともにファイルリストとして表示する表示手段を備えている。ファイル情報とは、ファイル名等、そのファイルに関する情報である。表示手段は、所定の操作があったときに、視聴可能残回数をファイル名等のファイル情報とともに表示する。このため、ユーザは、任意のときに視聴可能残回数を知ることができる。
【００１１】
（２）ディスクがセットされたときに該ディスクに記録されている動画圧縮ファイルに含まれる視聴可能回数をファイル情報とともにファイルリストにして記憶する記憶部と、任意の動画圧縮ファイルが１回再生される毎に前記記憶部に記憶されている該ファイルの視聴可能回数を減算し視聴可能残回数として更新する減算手段と、を備え、前記表示手段は、前記記憶部に記憶されているファイルリストを表示する。
【００１２】
上記の構成では、ディスクがセットされたときに、視聴可能回数がファイル名等のファイル情報とともにファイルリストとして記憶部に記憶される。記憶部は、不揮発性メモリで構成され再生装置本体の電源がオフしてもファイルリストを記憶している。この視聴可能回数は、ファイルの再生毎に一つ減じられ、視聴可能残回数として更新されていく。
【００１３】
（３）前記表示手段は、前記記憶部に記憶されているファイルリスト中の、視聴可能残回数が１以上の動画圧縮ファイルのみをリストにして表示する。
視聴可能残回数がゼロのファイルはユーザに対して表示する必要性がないので、再生可能なファイルのみ表示することで、表示画面のスクロール等の必要性を減らし見やすくすることができる。
【発明の効果】
【００１４】
この発明によれば、ディスクに記録されている動画圧縮ファイルを同ファイルに付加されている視聴可能回数内で再生することができる構成において、視聴可能残回数を任意のときに表示させることができるため、ユーザの操作性が大きく改善される。
【発明を実施するための最良の形態】
【００１５】
図１は、この発明の実施形態であるＤｉｖＸプレーヤを使用したＤｉｖＸファイル再生システムの構成図である。本実施形態では、動画圧縮ファイルの例としてＤｉｖＸファイルを例示しているが、これ以外の圧縮ファイルであっても良い。
【００１６】
ＤｉｖＸファイルは、インターネット１を介してＤｉｖＸサーバ２からＰＣ３にダウンロード可能である。ＰＣ３では、ダウンロードしたＤｉｖＸファイルをＣＤ４に記録可能であり、同ファイルが記録されたＣＤ４はＤｉｖＸプレーヤ５にセットすることにより再生することができる。
【００１７】
ＤｉｖＸプレーヤ５には、表示器５０が設けられており、様々な情報、例えばＤｉｖＸファイルリストの表示が可能である。後述のようにＤｉｖＸファイルリストは、ファイル名等のファイル情報と、そのファイルの視聴可能残回数とを含んでいる。また、表示器５０には、ＤｉｖＸファイルのダウンロード毎に異なる値のレジストレーションコード（Ｒｅｇｉｓｔｒａｔｉｏｎ  ｃｏｄｅ）が表示される。
【００１８】
以上のシステムにおいて、ユーザが所望のＤｉｖＸファイルをダウンロードしてＤｉｖＸプレーヤで再生する手順について、以下説明する。
【００１９】
ユーザは、ＤｉｖＸファイルをダウンロードしようとするときに、ＰＣ３をサーバ２に接続し、ＤｉｖＸ＿Ｗｅｂサイトに、事前に付与されたユーザアカウントと、そのときにＤｉｖＸプレーヤ５の表示器５０に表示されているレジストレーションコードとを、ダウンロートを希望するファイル番号とともに入力する。ＤｉｖＸサーバ２は、入力されたユーザアカウントが契約された正規アカウントであることを確認すると、入力されたＤｉｖＸファイル内に（例えばファイルヘッダ部に）ユーザアカウントとレジストレーションコードとを付加して、ＰＣ３にダウンロードする。
【００２０】
ＰＣ３は、ダウンロードされたＤｉｖＸファイルをＣＤ４に書き込む。なお、ダウンロードしたユーザアカウントとレジストレーションコードは、ＤｉｖＸファイルとは別のファイル構造にしても良い。ＰＣ３でＤｉｖＸファイルの書き込まれたＣＤ４は、ＤｉｖＸプレーヤ５にセットして再生可能となる。再生操作時には、当該ＤｉｖＸファイル内に付加されているレジストレーションコードが、そのファイルのダウンロード時にＤｉｖＸファイルプレーヤ５に割り当てられていたレストレーションコードと一致することを条件に再生される。
【００２１】
ＤｉｖＸプレーヤ５において、ＤｉｖＸファイルの再生を行うと、その時点で新たなレジストレーショコードが生成される。このコードは、次のＤｉｖＸファイルをダウンロードするときに利用される。
【００２２】
図２は、ＤｉｖＸプレーヤ５の一部構成図である。
【００２３】
ＣＤ４はモータ２０により回転駆動され、ＣＤ４に記録されているＤｉｖＸファイルのデータはピックアップ５により読みだされてストリーム分離部６に送られ、ビデオ（映像）データとオーディオデータに分離され、分離されたデータはそれぞれデコーダ７、８で復調されて出力される。
制御部９は、全体の制御を行うとともに、ストリーム分離部６で分離されたデータからファイル名、ユーザアカウント、レジストレーションコード等の属性データを取り出し、これをメモリ１０にファイルリストとして記憶する。入力部１２（図示しないリモコンや操作部で構成される）の所定の操作があると、上記ファイルリストからＤｉｖＸファイル名と残回数のみが抽出されて表示用のファイルリストが生成され、これが表示器１１に表示される。また、制御部９は、再生時において、メモリ２０に記憶されているファイルリストを更新する。すなわち、再生したＤｉｖＸファイルの視聴可能回数から１を差し引いて視聴可能残回数として更新する。
【００２４】
また、制御部９は、ダウンロードしたＤｉｖＸファイルを一度再生すると、その時点でレジストレーションコードを新たなものに変更する。したがって、次に新たなＤｉｖＸファイルをＰＣ３でダウンロードしようとするときには、この新しいレジストレーションコードを使用する。したがって、各ＤｉｖＸファイルには、それぞれ異なったレジストレーションコードが付加されることになる。このようにしてＤｉｖｉＸプレーヤでダウンロード毎に形成されるレジストレーションコードは、メモリ１０の別の領域に記憶されている。
【００２５】
図３は、ファイルリストの表示例を示している。
【００２６】
図示のように、アカウント（ユーザアカウント）、レジストレーションコード、ファイル名、残回数（視聴可能残回数）が１つのＤｉｖＸファイルに対応して記憶される。入力部１２において、ファイルリスト表示コマンドが入力されると、このファイルリストからＤｉｖＸファイル名と残回数のみが抽出されて表示用のファイルリストが生成され、これが表示器１１に表示される。また、任意のＤｉｖＸファイルが再生されると、そのファイルの残回数が１つ減らされる。ファイルリストを表示するとき、残回数が１以上のものだけを表示する。通常、ユーザにとっては、再生不可能なファイルも表示するよりは、再生可能なファイルのみ表示する方が便利である。その方が画面のスクロールの可能性が減り、且つ、所望のファイルを見つけやすくなるからである。そこで、残回数がゼロのものをリストから外し、ユーザの操作性を高める。
【００２７】
なお、残回数がゼロのものを含め、全部のファイルを表示することも可能である。
【００２８】
図４は、表示器５０のファイルリスト表示例を示している。
【００２９】
図示の例では、合計５つのファイルが表示され、一番上と一番下のファイルの残回数が各々１と５であり、それ以外のファイルは視聴制限がかかっていないものであることを示している。残回数がゼロになっているファイルは表示されていない。
【００３０】
図５は、ＤｉｖＸファイルのダウンロード操作から再生までの手順を示している。
【００３１】
ＳＴ１において、ユーザは、ＰＣ３をＤｉｖＸサーバ２にインターネット接続し、ＤｉｖＸ＿Ｗｅｂサイトにおいて、ＤｉｖＸプレーヤ５の表示器５０に表示されている（所定の操作により表示される）レジストレーションコードと予め付与されているユーザアカウントとを希望するＤｉｖＸファイル名とともに入力し、ダウンロードを要求する。
【００３２】
ＳＴ２において、サーバ２は、ユーザアカウントが正規に契約された正規アカウントであることを確認後、要求されたＤｉｖＸファイル内にユーザアカウントとレジストレーションコードとを付加して、ＰＣ３にダウンロードする。
【００３３】
ＳＴ３において、ＰＣ３は、ダウンロードしたファイルをＣＤ４に書き込む。
【００３４】
以上のＳＴ１〜ＳＴ３は、ユーザがＰＣ３において行う手順である。
【００３５】
ＳＴ４では、ＤｉｖＸプレーヤ５は、ＣＤをセットした段階で、メモリ１０にＤｉｖＸファイルのファイルリストを作成（更新）する。
【００３６】
ＳＴ５では、ユーザにより再生操作があると、指定されたＤｉｖＸファイルの再生を行う。このとき、ＣＤ４に記録されているＤｉｖＸファイルのレジストレーションコードと、このファイルをダウンロードするときにＤｉｖＸプレーヤ５に割り当てられていたレジストレーションコード（メモリ１０に記憶されている）とが一致していることを条件に再生する。
【００３７】
ＳＴ６では、ファイルリスト中の再生をした該当ファイルの残回数を１つ減らして更新する。
【００３８】
また、入力部１２において、ファイルリストの表示コマンドが入力されると、ＳＴ７において、表示器１１にメモリ１０に記憶されているファイルリストから表示用のファイルリストを作成し、これを表示する。ファイルリストには残回数が含まれているため、ユーザは、このときに、図４に示すような表示形式でファイルリストを見ることができる。なお、残回数がゼロのものは表示しない。また、表示内容には、セキュリテイの観点から、ユーザアカウントとレジストレーションコードは含まれない。
【００３９】
以上のようにして、ユーザは、任意のときに、ダウンロードしたＤｉｖＸファイルの視聴可能残回数を知ることができるため、非常に便利となる。
【図面の簡単な説明】
【００４０】
【図１】この発明の実施形態であるＤｉｖＸプレーヤを使用したＤｉｖＸファイル再生システムの構成図
【図２】ＤｉｖＸプレーヤの一部構成図
【図３】ＤｉｖＸファイルリストの一例を示す図
【図４】表示例を示す図
【図５】ファイル再生の手順を示すフローチャート
【図１】
2007109292.tif 000003
【図２】
2007109292.tif 000004
【図３】
2007109292.tif 000005
【図４】
2007109292.tif 000006
【図５】
2007109292.tif 000007